(57)【特許請求の範囲】
【請求項１】
送信されてくる情報を受信する受信手段と、
この受信手段により受信された情報が定型文情報であるか否かを判別する第１の判別手段と、
前記受信手段により受信された定型文情報を記憶する定型文情報記憶手段と、
前記第１の判別手段で定型文情報であると判別された場合に、該定型文情報に含まれている種別情報が、既に前記受信手段により受信され前記定型文情報記憶手段に記憶されている定型文情報に含まれている種別情報と異なるか否かを判別する第２の判別手段と、
この第２の判別手段により異なると判別された場合にのみ、前記受信手段により受信された定型文情報を前記定型文情報記憶手段に記憶する記憶制御手段と、
前記受信手段により受信された情報が前記定型文情報記憶手段に記憶されている定型文情報を指定するための指定情報であるか否かを判別する第３の判別手段と、
この第３の判別手段で指定情報であると判別された場合に、該指定情報により指定される前記定型文情報記憶手段に記憶されている定型文情報を表示手段に表示させる表示制御手段と
を具備したことを特徴とする情報受信装置。
【請求項２】
前記指定情報は、前記受信手段で自装置を呼出す呼出情報を受信した場合に受信する情報であることを特徴とする請求項１記載の情報受信装置。
【請求項３】
前記定型文情報記憶手段に記憶されている定型文情報を指定するための指定情報を送信する送信手段を備えることを特徴とする請求項１または２記載の情報受信装置。
【請求項４】
前記表示制御手段は、さらに、前記定型文情報に含まれている種別情報を表示手段に表示させる手段を備えることを特徴とする請求項１乃至３いずれかに記載の情報受信装置。
【請求項５】
前記受信手段は、ＦＭラジオ放送に多重されて送信されてくる情報を受信することを特徴とする請求項１乃至４いずれかに記載の情報受信装置。
【発明の詳細な説明】
【０００１】
【発明の属する技術分野】
本発明は、例えばＦＭラジオ放送電波に多重されたデータにより選択呼出しを行なう情報受信装置に関する。
【０００２】
【従来の技術】
従来、ＦＭ放送電波に文字情報等のサービス情報を多重させて送信し、そのサービス情報を受信側に設けた表示手段に表示させるＦＭ放送電波を媒体としたサービスが考えられている。このサービスは、いわゆる移動体ＦＭ文字多重放送とも呼ばれ、見えるラジオ（ＶＩＳＵＡＬ  ＩＮＦＯＲＭＡＳＩＯＮ  ＲＡＤＩＯ）として、すでに実施されている。
【０００３】
このＦＭ文字多重放送は、送信側のＦＭ放送局から通常の放送音声情報に文字や数字などの表示情報を多重させた放送電波を送信すると、このＦＭ放送電波を受信側端末である液晶などのディスプレイ付きラジオで受信し、ＦＭ音声情報とこれに多重される文字や数字等の表示情報とを分離し、このうちの表示情報を文字コードに変換してディスプレイ上に表示し、利用者の視認に供するようにしたものである。これにより利用者は、ＦＭ放送を耳で聞きながら、例えば放送している音楽の曲名やアーチストの名前、解説、リクエスト得票など放送に関連した情報、さらには、放送とは直接関連していないニュースや天気予報、交通情報などを文字情報として見ることができるようにしている。
【０００４】
この移動体ＦＭ文字多重放送においては、無料のサービス情報の提供の他に、特定のサービス情報、例えば多重情報を利用してページングサービスすなわち選択呼出しサービスを有料で提供することが考えられている。
【０００５】
【発明が解決しようとする課題】
ところで、このような選択呼出しサービスでは、一般の選択呼出しサービスと同様に、ただ単に相手を呼出すだけではなく、メッセージ情報を付加することが考えられる。このメッセージ情報としては、呼出しをかける送信側が使用可能な数字、文字を組合わせて自由にメッセージの内容を作成して送信する「フリーメッセージ」と、呼出しを受ける受信側が予め装置に記憶させておいた複数の定型句の番号を呼出しをかける送信側が指定する「定型メッセージ」とがある。
【０００６】
「自由メッセージ」は、メッセージ情報としての自由度が高い反面、入力に手間を要したり、伝送路における１メッセージあたりの情報容量が大きくなってしまうなどといった不具合を生じることとなる。
【０００７】
また、上記「定型メッセージ」は伝送路における伝送容量が少なくて済み、入力の手間もあまりかからない。しかしながら、メッセージに用いる言葉は常に変動するものであり、時代と共に用語などが移り変わるので、装置に予め記憶されている定型メッセージは、自ずから当たり障りのない、一般的な語句を用いた固定的なものとなってしまう傾向にあり、細かいニュアンスや、ある特定の場所、名称を定型文として記憶させることはほぼ不可能であった。
【０００８】
また、この点を補うため、それぞれで定型文を自作、定義して装置に記憶させる自作定義型の定型文を使用可能な機種も考えられているが、定型文の入力操作が面倒であり、また呼出しをかける送信側と呼出しを受ける受信側とが予め１文ずつどの番号がどのメッセージに該当するのかを事前に取り決めておく必要があり、１つでも異なっていた場合には全く意味の異なるメッセージとなり、あるいは意味の通じないメッセージとなってしまうなどの不便を生じることがある。
【０００９】
本発明は上記のような実情に鑑みてなされたもので、その目的とするところは、メッセージ送信時に使用する伝送容量を大きくすることなく、拡張性に富んだ自由度の高い定型文によるメッセージを用いることができ、且つメッセージの送信側と受信側とで定型文の定義内容を常に一致させておくことが可能な情報受信装置を提供することにある。
【００１０】
【課題を解決するための手段】
請求項１記載の発明は、送信されてくる情報を受信する受信手段と、この受信手段により受信された情報が定型文情報であるか否かを判別する第１の判別手段と、前記受信手段により受信された定型文情報を記憶する定型文情報記憶手段と、前記第１の判別手段で定型文情報であると判別された場合に、該定型文情報に含まれている種別情報が、既に前記受信手段により受信され前記定型文情報記憶手段に記憶されている定型文情報に含まれている種別情報と異なるか否かを判別する第２の判別手段と、この第２の判別手段により異なると判別された場合にのみ、前記受信手段により受信された定型文情報を前記定型文情報記憶手段に記憶する記憶制御手段と、前記受信手段により受信された情報が前記定型文情報記憶手段に記憶されている定型文情報を指定するための指定情報であるか否かを判別する第３の判別手段と、この第３の判別手段で指定情報であると判別された場合に、該指定情報により指定される前記定型文情報記憶手段に記憶されている定型文情報を表示手段に表示させる表示制御手段とを具備したことを特徴とする。
【００１１】
このような構成とすることにより、定型文情報の内容が更新された場合にのみ定型文情報記憶手段の更新設定を行ないながら、定型文を指定する指定情報を受信した際にはその指定に応じた定型文を用いたメッセージ情報に変換して表示させることができるため、無駄な電力の消費を避けることが可能となると共に、定型文の定義の設定に手間を要することなく、自由度の高い定型文による相手側の意図を確実に反映したメッセージ情報を受信して表示させることが可能となる。
【００１２】
請求項２記載の発明は、前記請求項１において、前記指定情報は、前記受信手段で自装置を呼出す呼出情報を受信した場合に受信する情報であることを特徴とする。
【００１３】
このような構成とすることにより、前記請求項１記載の発明の作用に加えて、自装置が呼出された場合にのみ定型文のメッセージ情報が表示されるため、自装置に呼出しをかけた者の意思を確実に受信することができる。
【００１４】
請求項３記載の発明は、前記請求項１または２において、前記定型文情報記憶手段に記憶されている定型文情報を指定するための指定情報を送信する送信手段を備えることを特徴とする。
【００１５】
このような構成とすることにより、前記請求項１または２記載の発明の作用に加えて、１台の受信装置で定型文のメッセージ情報の受信だけでなく送信を行なうことも可能となる。
【００１６】
請求項４記載の発明は、前記請求項１乃至３いずれかにおいて、前記表示制御手段は、さらに、前記定型文情報に含まれている種別情報を表示手段に表示させる手段を備えることを特徴とする。
【００１７】
このような構成とすることにより、前記請求項１乃至３いずれかに記載の発明の作用に加えて、その定型文情報の種別情報をも表示して知ることができる。
【００１８】
請求項５記載の発明は、前記請求項１乃至４いずれかにおいて、前記受信手段は、ＦＭラジオ放送に多重されて送信されてくる情報を受信することを特徴とする。
【００１９】
このような構成とすることにより、前記請求項１乃至４いずれかに記載の発明の作用に加えて、ＦＭラジオ放送に多重されて送信されてくる情報を受信することができる。
【００２９】
【発明の実施の形態】
以下本発明をＦＭ文字多重放送でページング通信システムに適用した場合の実施の一形態について図面を参照して説明する。
図１はシステム全体の構成を例示するもので、１ａは呼出しを行なおうとしているオートダイヤル機能付ＦＭラジオ受信機（図では「端末」と示す）である。このＦＭラジオ受信機１ａは、選択呼出受信機能を備えており、そのスピーカ部を電話機２の送話器に対接して、予め入力した呼出番号とメッセージデータの定型文番号とによるＤＴＭＦ音（Ｄｕａｌ  Ｔｏｎｅ  Ｍｕｌｔｉ  Ｆｒｅｑｕｅｎｃｙ：プッシュボタンによるダイヤル音）を送信することにより、この呼出番号を含む送信データが電話回線網３を介してページングサービス会社４に送られる。
【００３０】
ページングサービス会社４では、この送信データを他の送信データと共に契約しているＦＭ放送局５に転送することで、ＦＭ放送局５がこれら呼出しのためのデータをＦＭ文字多重放送としてＦＭ放送電波に多重して放送出力する。
【００３１】
しかるに、このＦＭ放送局５から放送されたＦＭ放送電波は、当該放送エリア内に存在する上記ＦＭラジオ受信機１ａと同様構成の各ＦＭラジオ受信機１ｂ〜１ｄで受信され、そのうち呼出番号が一致するものがあれば、呼出しの報知とメッセージデータの表示とがなされる。
【００３２】
図２は上記ＦＭラジオ受信機１ａ（〜１ｄ）の各回路構成を示すものである。同図でＦＭラジオ受信機１ａ（〜１ｄ）は、ＦＭ放送電波を受信し、対応する音声を発生するＦＭラジオ部１０と、このＦＭラジオ部１０より受信したＦＭ放送電波に多重化されている多重情報の受信に対する各種の処理を行なう多重情報受信部２０とを有している。
【００３３】
上記ＦＭラジオ部１０は、ＦＭ放送電波を受信するアンテナ１１と、ＦＭ放送電波のチューニングを行なうＦＭチューナ１２と、このＦＭチューナ１２で得たＦＭ信号の復調を行なうＦＭ復調器１３と、復調されたＦＭ信号をステレオ信号にするステレオ復調器１４と、このステレオ復調器１４の出力信号を増幅する一対のアンプ１５ａ，１５ｂと、これらアンプ１５ａ，１５ｂで増幅されたステレオ信号を音声として拡声出力する一対のスピーカ１６ａ，１６ｂとを具備している。また、図示はしないがステレオ復調器１４に接続されるステレオヘッドホン用ジャックにステレオヘッドホンを装着してＦＭステレオ放送を聴取することも勿論可能である。
【００３４】
上記多重情報受信部２０は、上記ＦＭ復調器１３に接続され、上記ＦＭステレオ信号のＬ，Ｒ信号の変調度に対して多重信号の大きさ（レベル）を４〜１０％まで変化するデジタル変調によりＦＭ放送電波に多重化されている多重情報を分離するＬ−ＭＳＫ（Ｌｅｖｅｌ  ｃｏｎｔｒｏｌｌｅｄ  Ｍｉｎｉｍｕｍ  Ｓｈｉｆｔ  Ｋｅｙｉｎｇ）復調器２１と、分離された多重情報に対して誤り訂正処理を施す誤り訂正復号器２２と、分離された多重情報に対する各種の処理を行なう制御部２３とを有している。
【００３５】
この制御部２３に対して、処理プログラムを格納したＲＯＭ２４と、チューニング操作のためのキー、所望する多重情報の番組を指定するキー、呼出番号やメッセージデータ入力のためのキー等を備えたキー入力部２５と、例えば全角文字で２０字×３行の表示容量を有するバックライト付きの液晶表示パネルで構成される表示部２６と、多重情報を含む送信データ及び受信データを記憶する送受信データメモリ２７と、及びメッセージデータを作成するための定型文とその定型文を定義する数字コードからなる定型文データを記憶する定型文データメモリ２８と、呼出しを受けた際に音でこれを報知する報音部２９と、上記ＦＭチューナ１２での受信動作を制御する受信制御部３０、呼出しをかける場合等に入力した数字に応じたＤＴＭＦ音を発生するＤＴＭＦ信号発生部３１とが接続されている。
【００３６】
制御部２３は、ＣＰＵなどで構成され、Ｌ−ＭＳＫ復調器２１、誤り訂正復号器２２を介して受信した呼出番号に付されたメッセージデータを含む多重情報を表示部２６にて表示させる。
【００３７】
上記ＲＯＭ２４は、上記ページングサービス会社４と受信契約することでのみ与えられる、各受信機固有の呼出番号情報及び受信契約情報を固定記憶した個別情報記憶部２４ａを有する。
【００３８】
上記ＤＴＭＦ信号発生部３１は、制御部２３の制御の下に制御部２３から送られてきた送信データがセットされるダイヤラバッファ３２に信号を送り、送信データを順次取込んでその送信データに対応する「１」〜「０」，「＊」，「＃」等の各ＤＴＭＦ音を発生するもので、発生されたＤＴＭＦ音はアンプ３３で増幅された後にスピーカ３４から拡声出力される。
【００３９】
図３は上記ＦＭ放送局５に配置されるサービス情報送信装置４０の構成を示すもので、このサービス情報送信装置４０は送信部４１と多重化処理部４２とを有している。
【００４０】
送信部４１は、音声情報のステレオ変調を行なうステレオ変調器４３と、変調されたステレオ信号をＦＭ変調するＦＭ変調器４４、変調されたＦＭ信号をアンテナ４６よりＦＭ放送電波として送信する送信器４５を備えている。
【００４１】
また多重化処理部４２は、符号化された各サービス会社から送られてくるページングサービスを含む有料のサービス情報、及び他の無料のサービス情報に誤り訂正符号を付加する誤り訂正付加器４７、この誤り訂正符号を付加したサービス情報を、上記ステレオ信号のＬ，Ｒ信号の変調度に対して多重信号の大きさ（レベル）を４〜１０％まで変化させるデジタル変調によりステレオ信号に多重化させるＬ−ＭＳＫ変調器４８を備えている。
【００４２】
次いで上記ＦＭラジオ受信機１ａ（〜１ｄ）に設けられる定型文データメモリ２８のメモリエリア構成を図４に示す。同図に示す如く定型文データメモリ２８は、送られてきた定型文データがそのＦＭラジオ受信機の機種で受信可能なものであった場合にその定型文データを記憶するもので、その定型文データの種別を表わすバージョン情報Ｖ２と、３個を１組とした定型番号情報ｎ（ｍ）（ｍ：自然数）及びその定型番号情報に対応した３個を１組とした定型文情報ｎ＄（ｍ）を記憶する領域からなる。
【００４３】
図５は上記ＦＭラジオ部１０で受信され、多重情報受信部２０のＬ−ＭＳＫ復調器２１、誤り訂正復号器２２を介して制御部２３へ入力されてくるＦＭ放送電波に多重されたデータのタイプ別のデータ構成を示すものである。
【００４４】
ここでは、受信データのタイプとして図５（ａ）に示す無料サービスの一般情報、図５（ｂ）に示す有料サービスの一般情報、図５（ｃ）に示す有料サービスの選択呼出情報、及び図５（ｄ）に示す有料サービスの定型文情報の４種類があるものとする。
【００４５】
図５（ａ）に示す無料サービスの一般情報は、ＦＭラジオ放送に関連した音楽の曲名やアーチストの名前、解説、リクエスト得票などの情報、さらには放送とは直接関連していないニュースや天気予報、交通情報など、一般の文字多重放送に対応したＦＭラジオ受信機でそのまま受信可能な情報であり、無料サービスであることを示すサービス種別、一般情報であることを示す情報種別、番組番号、ページ総数及び無料サービスデータにより１組のデータブロックを構成する。
【００４６】
図５（ｂ）に示す有料サービスの一般情報は、株価情報等のサービス会社と受信契約を行なうことが必要な、なんらかの課金方法により動作可能となる文字多重放送に対応したＦＭラジオ受信機で受信可能な情報であり、有料サービスであることを示すサービス種別、一般情報であることを示す情報種別、番組番号、ページ総数及び有料サービスデータにより１組のデータブロックを構成する。
【００４７】
図５（ｃ）に示す有料サービスの選択呼出情報は、ページングサービス会社と受信契約を行なうことが必要な、なんらかの課金方法により動作可能となる上記ＦＭラジオ受信機１ａ〜１ｄ等で受信可能な情報であり、有料サービスであることを示すサービス種別、選択呼出情報であることを示す情報種別、番組番号、ページ総数及びメッセージデータにより１組のデータブロックを構成する。
【００４８】
図５（ｄ）に示す有料サービスの定型文情報は、同じくページングサービス会社と受信契約を行なうことが必要な、なんらかの課金方法により動作可能となる上記ＦＭラジオ受信機１ａ〜１ｄ等で受信可能な情報であり、有料サービスであることを示すサービス種別、定型文情報であることを示す情報種別、ページ総数及び上記図４で示した定型文データメモリ２８に記憶させるための定型文データにより１組のデータブロックを構成する。
【００４９】
次いで上記実施の形態の動作について説明する。
図６は主として制御部２３が行なう文字多重放送の受信データに対する処理内容を示すもので、まずデータを受信した時点で（ステップＡ１）制御部２３は、そのデータのブロック先頭に位置しているサービス種別により有料サービスであるか否かを判断する（ステップＡ２）。
【００５０】
受信データが有料サービスではないと判断した場合、その受信データは上記図５（ａ）で示したデータ構造を有する無料サービスの一般情報であることとなるので、一旦その受信データを送受信データメモリ２７の該当エリアに記憶させた後（ステップＡ３）、キー入力部２５のキー操作によりその一般情報の表示が指定されているか否か判断する（ステップＡ４）。
【００５１】
そして、表示が指定されていると判断した場合のみ、送受信データメモリ２７に記憶した受信データを表示部２６で表示出力させ（ステップＡ５）、以上でこの処理を終了する。
【００５２】
また、上記ステップＡ２で受信データが有料サービスであると判断した場合には、制御部２３は次いでその有料サービスを受信する契約がなされているか否かを、上記ＲＯＭ２４の個別情報記憶部２４ａに受信契約情報が記憶されているか否かにより判断する（ステップＡ６）。
【００５３】
有料サービスを受信する契約がなされていないと判断した場合、すなわち個別情報記憶部２４ａに該当する受信契約情報が記憶されていなかった場合にはその時点でこの処理を終了するが、契約がなされており、個別情報記憶部２４ａに該当する受信契約情報が記憶されていた場合には、次いでその受信データが上記図５（ｄ）で示した定型文情報であるか否かをその情報種別により判断する（ステップＡ７）。
【００５４】
定型文情報であると判断した場合に制御部２３は、その受信データを用いて定型文データメモリ２８に記憶されている定型文を定義するデータの更新処理を実行する（ステップＡ８）。
【００５５】
図７はこのステップＡ８の定型文を定義するデータの更新処理の詳細を示すサブルーチンであり、ここでは以下の変数、すなわち、上記図４で示したように定義する定型番号の格納エリアを示すメモリ群番号ｎ（ｍ）、このメモリ群番号ｎ（ｍ）に対応した定型文の格納エリアを示すメモリ群番号ｎ＄（ｍ）、上記各格納エリアを指定するために用いるｍ、ページカウント用のカウンタの値ｐ、受信した定型文情報で規定しているページ総数ｐ１、受信したデータのバージョン情報を示すＶ１、定型文データメモリ２８に格納されているバージョン情報を示すＶ２を用いるものとする。
【００５６】
その処理当初には、まずページカウント値ｐとして初期値「１」をセットし（ステップＢ１）、次いで受信した定型文データ中の１行目に該当する位置の先頭の半角文字で４文字分を受信バージョン情報Ｖ１として保持する（ステップＢ２）。
【００５７】
図８（１）はこのときに取込んだ定型文データ中の１ページ目のデータ構成を示すもので、その第１行目の先頭の全角文字２文字分を用いて半角文字４文字で受信バージョン情報Ｖ１「０００１」を示している。
【００５８】
次いで、保持した受信バージョン情報Ｖ１がそれまで定型文データメモリ２８に格納していたバージョン情報Ｖ２よりも大きいか否か、すなわち受信した定型文データのバージョンがすでに記憶されている定型文データのバージョンよりも新しいものであるか否かを判断する（ステップＢ３）。
【００５９】
受信バージョン情報Ｖ１がバージョン情報Ｖ２と同じ、あるいは小さいと判断した場合には、この受信した定型文データは定型文データメモリ２８に格納されている定型文データと同じか、あるいは古いバージョンの定型文データであって、更新する必要がないので、以上でこの処理を終了する。
【００６０】
また、ステップＢ３で受信バージョン情報Ｖ１がバージョン情報Ｖ２よりも大きいと判断した場合には、受信した定型文データは定型文データメモリ２８に格納されている定型文データよりも新しいバージョンの定型文データであるので、受信した定型文データを定型文データメモリ２８に格納するべく、まず受信バージョン情報Ｖ１を新たなバージョン情報Ｖ２として定型文データメモリ２８に記憶設定させ（ステップＢ４）、続いてページカウント値ｐを「＋１」更新設定し（ステップＢ５）、さらに定型文データメモリ２８中の格納エリアを示す定型番号のメモリ群番号ｎ（ｍ）及び定型文のメモリ群番号ｎ＄（ｍ）に用いる値ｍとして初期値「１」をセットする（ステップＢ６）。
【００６１】
次いで、上記バージョン情報に続く定型文データであるページカウント値ｐで示されるページ中の半角文字で３文字分×３行分の定型番号をメモリ群番号ｎ（ｍ）（ここではｍ＝１）で示される定型文データメモリ２８中の格納エリアに格納する（ステップＢ７）。
【００６２】
その後、これに対応して上記ページ中の定型番号に続く全角文字で３文字目からその行の最終文字までの１７文字分×３行分の定型文をメモリ群番号ｎ＄（ｍ）（ここではｍ＝１）で示される定型文データメモリ２８中の格納エリアに格納する（ステップＢ７）。
【００６３】
図８（２）はこのときに取込んだ定型文データ中の２ページ目のデータ構成を示すもので、「００１」「００２」「００３」の各定型番号がメモリ群番号ｎ（１）で示される格納エリアに格納され、これに対応した「です」「だよ」「でさ」の各定型文がメモリ群番号ｎ＄（１）で示される格納エリアに格納される。
【００６４】
次いで、上記のように３つの定型文を１ページ分として定型文データメモリ２８に格納した後、ページカウント値ｐを「＋１」更新設定し（ステップＢ９）、更新設定したページカウント値ｐが上記図５（ｄ）で示したこの定型文情報で規定しているページ総数ｐ１を越えたか否か、すなわち受信した定型文情報による更新処理を終了するか否かを確認する（ステップＢ１０）。
【００６５】
そして、ページカウント値ｐがページ総数ｐ１を越えていないことを確認した上で、ステップＢ１１で定型文データメモリ２８中の格納エリアを指定するために用いる値ｍを「＋１」更新設定し、再び上記ステップＢ７からの処理を繰返し行なうことで、受信した定型文情報による定型文データメモリ２８の更新処理を順次続行する。
【００６６】
図８（３）は上記図８（２）に示した情報に続いて取込んだ定型文データ中の３ページ目のデータ構成を示すもので、「００４」「００５」「００６」の各定型番号がメモリ群番号ｎ（２）で示される格納エリアに格納され、これに対応した「新宿」「広尾」「原宿」の各定型文がメモリ群番号ｎ＄（２）で示される格納エリアに格納される。
【００６７】
このような定型文データメモリ２８の更新処理を行なうことで、定型文データメモリ２８には上記図４に示したような定型文情報が自動的に格納されることとなる。
【００６８】
しかるに、ページカウント値ｐがページ総数ｐ１を越えたと判断した時点で、この図７のサブルーチンによる受信した定型文情報による定型文データメモリ２８の更新処理を終了すると共に、図６のメインルーチンにおいても受信データに対する処理を一旦終了する。
【００６９】
また、図６において、ステップＡ７で受信データが定型文情報ではないと判断した場合には、次にその受信データが上記図５（ｃ）で示した選択呼出情報であるか否かを同じく情報種別により判断する（ステップＡ９）。
【００７０】
選択呼出情報であると判断した場合に制御部２３は、その受信データ中の呼出番号がＲＯＭ２４の個別情報記憶部２４ａに記憶されている自機に割当てられた呼出番号と一致するか否かにより、自機が呼出されたのか否かを判断する（ステップＡ１０）。
【００７１】
受信データ中の呼出番号と記憶された呼出番号とが一致していない場合、自機に対する呼出しではないことになるのでこの処理を終了するが、一致した場合には自機に対する呼出しであるので、受信データ中のメッセージデータを送受信データメモリ２７に格納した上で（ステップＡ１１）、報音部２９により呼出しがあったことを使用者に報知する（ステップＡ１２）。
【００７２】
その後、送受信データメモリ２７に格納したメッセージデータが定型文であるか否かをその先頭に付加されている筈の特定コードの有無により判定する（ステップＡ１３）。
【００７３】
ここで定型文であると判断した場合のみ、そのままでは定型番号の羅列となってしまってメッセージの意味内容が判らないので上記定型文データメモリ２８を参照して順次定型番号を定型文に変換し（ステップＡ１４）、変換して得たメッセージデータを表示部２６に表示出力させて（ステップＡ１５）、以上でこの処理を終了する。
【００７４】
図９（ａ）はこのとき表示部２６で表示される定型文を用いたメッセージデータを例示するもので、その第１行目の右端側に定型文データメモリ２８に記憶されているバージョン情報を例えば「バージョン０００１」のように表示すると共に、その第２行目で変換して得たメッセージデータを例えば「広尾の店でお茶しよう約束だよ」のように表示する。
【００７５】
また、上記ステップＡ９で受信データが選択呼出情報でもないと判断した場合には、その受信データは上記図５（ｂ）で示した有料サービスの一般情報であることとなるので、その有料サービスの一般情報を送受信データメモリ２７に格納した上で（ステップＡ１６）、キー入力部２５のキー操作によりその一般情報の表示が指定されているか否か判断する（ステップＡ１７）。
【００７６】
そして、表示が指定されていると判断した場合のみ、送受信データメモリ２７に記憶した受信データを表示部２６で表示出力させ（ステップＡ１８）、以上でこの処理を終了する。
【００７７】
ところで、上記図９（ａ）で示したような定型文を用いたメッセージデータを送信側のＦＭラジオ受信機１ａで作成する際には、図９（ｂ）に示すようにキー入力部２５に備えられるカーソルキーで位置を移動させながら順次定型文を選択していくもので、図中に示す如く選択中の定型文は下線表示や反転表示されることで、既に選択されている定型文部分と区分表示される。そして、選択された定型文に対応する定型番号が送信指示によりＤＴＭＦ信号発生部３１でＤＴＭＦ信号に変換され、スピーカ３４から出力される。
【００７８】
この定型文を用いたメッセージデータを作成する場合でも、図中に示す如く定型文データメモリ２８に記憶されているバージョン情報を例えば「バージョン０００１」のように表示するもので、送信側ではこのバージョン情報を覚えていることにより、もし受信側とのバージョン情報が異なり、意味をなさないメッセージデータが受信側で表示されたとしても、あとでバージョン情報が異なることを確認することができる。
【００７９】
なお、上記実施の形態では、選択呼出及び定型文のサービス情報をＦＭ放送電波に多重化したものについて説明したが、本発明はこれに限ることなく、他の放送電波に適用することも考えられる。
その他、本発明はその要旨を逸脱しない範囲内で種々変形して実施することが可能である。
【００８０】
【発明の効果】
請求項１記載の発明によれば、定型文情報の内容が更新された場合にのみ定型文情報記憶手段の更新設定を行ないながら、定型文を指定する指定情報を受信した際にはその指定に応じた定型文を用いたメッセージ情報に変換して表示させることができるため、無駄な電力の消費を避けることが可能となると共に、定型文の定義の設定に手間を要することなく、自由度の高い定型文による相手側の意図を確実に反映したメッセージ情報を受信して表示させることが可能となる。
【００８１】
請求項２記載の発明によれば、前記請求項１記載の発明の効果に加えて、自装置が呼出された場合にのみ定型文のメッセージ情報が表示されるため、自装置に呼出しをかけた者の意思を確実に受信することができる。
【００８２】
請求項３記載の発明によれば、前記請求項１または２記載の発明の効果に加えて、１台の受信装置で定型文のメッセージ情報の受信だけでなく送信を行なうことも可能となる。
【００８３】
請求項４記載の発明によれば、前記請求項１乃至３いずれかに記載の発明の効果に加えて、その定型文情報の種別情報をも表示して知ることができる。
【００８４】
請求項５記載の発明によれば、前記請求項１乃至４いずれかに記載の発明の効果に加えて、ＦＭラジオ放送に多重されて送信されてくる情報を受信することができる。
【図面の簡単な説明】
【図１】本発明の実施の一形態に係る全体のシステム構成を例示する図。
【図２】同実施の形態に係るＦＭラジオ受信機の回路構成を示すブロック図。
【図３】同実施の形態に係る放送局側に設けられるサービス情報送信装置の回路構成を示すブロック図。
【図４】図２の定型文データメモリ内の領域構成を例示する図。
【図５】同実施の形態に係る文字多重放送での受信データのタイプ別の構成を例示する図。
【図６】同実施の形態に係る受信動作の処理内容を示すフローチャート。
【図７】図６の定型文を定義する更新処理のサブルーチンを示すフローチャート。
【図８】同実施の形態に係る受信データである定型文データのページ毎の構成を示す図。
【図９】同実施の形態に係る動作表示例を示す図。
【符号の説明】
１ａ〜１ｄ…ＦＭラジオ受信機
２…電話機
３…電話回線網
４…ページングサービス会社
５…ＦＭ放送局
１０…ＦＭラジオ部
１１…アンテナ
１２…ＦＭチューナ
１３…ＦＭ復調器
１４…ステレオ復調器
１５ａ，１５ｂ…アンプ
１６ａ，１６ｂ…スピーカ
２０…多重情報受信部
２１…Ｌ−ＭＳＫ復調器
２２…誤り訂正復号器
２３…制御部
２４…ＲＯＭ
２４ａ…個別情報記憶部
２５…キー入力部
２６…表示部
２７…送受信データメモリ
２８…定型文データメモリ
２９…報音部
３０…受信制御部
３１…ＤＴＭＦ信号発生部
３２…ダイヤラバッファ
３３…アンプ
３４…スピーカ
４０…サービス情報送信装置
４１…送信部
４２…多重化処理部
４３…ステレオ変調器
４４…ＦＭ変調器
４５…送信器
４６…アンテナ
４７…誤り訂正付加器
４８…Ｌ−ＭＳＫ変調器
【図１】
0003863586.tif 000002
【図２】
0003863586.tif 000003
【図３】
0003863586.tif 000004
【図４】
0003863586.tif 000005
【図５】
0003863586.tif 000006
【図６】
0003863586.tif 000007
【図７】
0003863586.tif 000008
【図８】
0003863586.tif 000009
【図９】
0003863586.tif 000010